(57)【特許請求の範囲】
【請求項１】
走行装置（７）上に搭載した脱穀部（Ａ）で脱穀処理された１番物を一時貯留する穀粒タンク（１）へ搬送する搬送経路に、穀粒に付着した枝梗を除去する枝梗処理装置を設けたコンバインにおいて、始端部に送り込みロータ羽根（２１）と、その後方に処理歯（１８）を植設した処理胴（３）と、該処理胴（３）を駆動する軸（４）と、前記処理胴（３）の下周り側に穀粒を濾過する処理網（５）を張設した枝梗付き粒を処理する処理室（２）を構成し、前記脱穀部（Ａ）によって脱穀処理された穀粒を前記穀粒タンク（１）の上部へ揚上移送する揚穀筒（１６）内のスクリュ−コンベヤ軸（２４）上端部と、前記軸（４）の始端部をベベルギヤ（２５）で連動連結し、さらに前記軸（４）の回転方向を機体左側面視で反時計方向とし、前記処理室（２）の始端側と前記揚穀筒（１６）の上部を近設連通して締結部材を介して一体的に構成し、さらに該処理室（２）を前記穀粒タンク（２）の左側面に左右横方向に配設するとともに、該処理室（２）が出入り自在な挿脱口（２６）を前記穀粒タンク（１）に設けたことを特徴とするコンバインにおける枝梗除去装置。
【発明の詳細な説明】
【０００１】
【産業上の利用分野】
本発明は、走行機台上に搭載する脱穀部からの１番穀粒を穀粒タンクに貯留する前に、その穀粒中に混入する枝梗付き粒を処理するコンバインにおける枝梗除去装置に関するものである。
【０００２】
【従来の技術】
従来、処理胴を内蔵する処理室としては、扱室の排稈がわから送出される送塵物中の未処理物を処理するものや、選別後の２番物を揺動選別体の始端部に返す際に処理するものなどがあるが、１番穀粒として取出される物の中に枝梗付き粒が混入し、この混入する枝梗付き粒のために後処理において円滑性を欠く欠点があった。
【０００３】
【発明が解決しようとする課題】
上記のように、１番穀粒中に枝梗付き粒が混入して乾燥・籾摺等の後処理において円滑性を欠き、この発明はこの従来の欠点を解消して後処理を円滑にするとともに、枝梗付き粒の枝梗除去処理によって損傷粒が生じない枝梗除去装置を提供することを目的として創案されたものである。
【０００４】
【課題を解決するための手段】
本発明は前項に記載の目的を達成するために、走行装置（７）上に搭載した脱穀部（Ａ）で脱穀処理された１番物を一時貯留する穀粒タンク（１）へ搬送する搬送経路に、穀粒に付着した枝梗を除去する枝梗処理装置を設けたコンバインにおいて、始端部に送り込みロータ羽根（２１）と、その後方に処理歯（１８）を植設した処理胴（３）と、該処理胴（３）を駆動する軸（４）と、前記処理胴（３）の下周り側に穀粒を濾過する処理網（５）を張設した枝梗付き粒を処理する処理室（２）を構成し、前記脱穀部（Ａ）によって脱穀処理された穀粒を前記穀粒タンク（１）の上部へ揚上移送する揚穀筒（１６）内のスクリュ−コンベヤ軸（２４）上端部と、前記軸（４）の始端部をベベルギヤ（２５）で連動連結し、さらに前記軸（４）の回転方向を機体左側面視で反時計方向とし、前記処理室（２）の始端側と前記揚穀筒（１６）の上部を近設連通して締結部材を介して一体的に構成し、さらに該処理室（２）を前記穀粒タンク（２）の左側面に左右横方向に配設するとともに、該処理室（２）が出入り自在な挿脱口（２６）を前記穀粒タンク（１）に設けたことを特徴とするものである。
【０００５】
【作用】
これによって、脱穀部で脱穀処理された１番穀粒は、穀粒タンク（１）上部に配設された揚穀筒（１６）の上端部と処理室（２）の始端部とを近設連通することにより穀粒タンク（１）へ揚上移送するスクリュ−コンベヤ軸（２４）の終端部から排出羽根により直接処理室（２）の前端部へ放出され、その放出された穀粒を処理室（２）に内蔵している処理胴（３）の始端部に植設した送り込みロータ羽根（２１）により処理室（２）内へ移送して処理歯（１８）により枝梗を除去し、除去された穀粒は処理網（５）を通過して穀粒タンク（１）の上部に設けた処理室（２）から穀粒タンク（１）の下方に向けて放擲されるから前後方向に拡散して穀粒タンク内に均された状態で順次貯留されるのである。
【０００６】
【実施例】
以下、この発明による装置について実施例図を参照し説明すると、このコンバインは「図４」の左側面図に示すように、（６）は走行装置（７）上に載設する搭載台、（Ａ）は扱室（８）と処理胴室（９）と、これらの各室（８）（９）からの扱卸物と処理物を選別する揺動選別体（１０）等を具備して搭載台（６）の左側に載置する脱穀部、（Ｂ）は分草体（１１）と引起し装置（１２）と刈刃（１３）および刈取穀稈を後送する搬送機構（１４）等からなり脱穀部（Ａ）の前方がわに設けた刈取部、（Ｃ）は脱穀済の排藁を細断する藁カッタ−、（１５）は操縦部、（１）は脱穀部（Ａ）からの１番穀粒を貯留する穀粒タンクであり、操縦部（１５）と穀粒タンク（１）は搭載台（６）の右側に設置してその穀粒タンク（１）は脱穀部（Ａ）に並設している。また、（１６）は脱穀部（Ａ）で脱穀処理された１番穀粒を揚上する揚穀筒で、その上端部は前記穀粒タンク（１）の上部に配置された処理室（２）に連通して処理室（２）から穀粒タンク（１）内に放出し、（１７）は貯留された穀粒タンク（１）内の１番穀粒を機外に取出す排出オ−ガであって、刈取部（Ｂ）での刈取穀稈を脱穀部（Ａ）に搬送して脱穀処理し、１番穀粒を揚穀筒（１６）により揚上して穀粒タンク（１）に貯留する前に処理室（２）で混入する枝梗付き粒を処理しながら穀粒タンク（１）に貯留し、この貯留されたものが排出オ−ガ（１７）により取出され、脱穀済の排藁は藁カッタ−（Ｃ）によって処理されるようになっている。
【０００７】
次に、「図１」〜「図３」により本発明の枝梗処理装置であるところの、前記処理室（２）について詳述すると、この処理室（２）の下周りがわは円弧状の処理網（５）で形成され、処理室（２）内には周面に処理歯（１８）を植設する処理胴（３）を内蔵して、その処理胴（３）の軸（４）方向の向きを機体の左右横方向に前記穀粒タンク（１）の上部に配置されて、処理室（２）の始端がわに前記揚穀筒（１６）の上端部を連通させているのである。また、処理室（２）の終端がわの側壁（１９）には半円弧状の排出孔（２０）を開口している。なお、（２１）は処理胴（３）の始端部に設けた送り込み用のロ−タ羽根、（２２）は処理網（５）上に立設する送り阻止用の抵抗体、（２３）は送穀調節板である。
【０００８】
前記の処理室（２）はこの実施例図では室全体を穀粒タンク（１）内に設けているが、上部を穀粒タンク（１）の天井板（１ａ）から上方に突出した状態に設けてもよいのである。また、この例図のものは処理室（２）を比較的に前後方向に長手の穀粒タンク（１）の前側部である一側がわに位置させるとともに、その処理網（５）を穀粒タンク（１）の下方から後側部の他側がわに向けて設けたのである。そして、処理胴（３）への回転動力の伝達は前記揚穀筒（１６）内のスクリュ−コンベヤ軸（２４）の上端部と処理胴（３）の軸（４）端部とを一対のベベルギヤ（２５）を介して連動連結させて左側方視で反時計方向（イ）に回転させるようにしてある。
【０００９】
したがって、脱穀部（Ａ）で脱穀処理された１番穀粒は揚穀筒（１６）により揚上されて穀粒タンク（１）の上部に配置した処理室（２）の始端がわに投出され、処理胴（３）の（イ）方向の回転によりロ−タ羽根（２１）によって送り込まれるとともに抵抗体（２２）で送りが阻止されながら送穀調節板（２３）で送り作用を調節して、処理歯（１８）の作用により穀粒中に混入する枝梗付き粒が処理され、その処理作用を受けたものが直ちに処理網（５）を通って穀粒タンク（１）内に放出されるのであって、その放出により前後方向に拡散して穀粒タンク（１）内に均された状態で貯留されていくようになり充填量を高めるのである。そして、処理網（５）を通過しない枝梗など塵埃は終端部の側壁（１９）に開口する排出口（２０）から排出されるのである。
【００１０】
また、処理室（２）を前述のように、穀粒タンク（１）の前側部である一側がわに位置させて処理網（５）を穀粒タンク（１）の下方から後側部の他側がわに向けて配置すると、処理室（２）が穀粒タンク（１）の一側がわにおける隅部にあって処理胴（３）の（イ）方向の回転により「図１」に矢印（ロ）で示すように穀粒タンク（１）の下方から後側部の他側がわに向けて放出され一層充填量を増すようになる。
【００１１】
なお、この例図のものによれば、処理室（２）を穀粒タンク（１）の前側部である一側がわに位置させて処理物を穀粒タンク（１）の下方から後側部の他側がわに向けて放出させるようにしているが、処理室（２）を後側部である他側がわに位置させると処理網（５）を下方から前側部の一側がわに向けるとともに処理胴（３）を前記とは逆方向、即ち（イ）の方向とは逆の方向に回転させるようにするのである。
【００１２】
また、穀粒タンク（１）は排出オ−ガ（１７）を構成している縦オ−ガ（１７ａ）によって支持されるとともに、この縦オ−ガ（１７ａ）を軸にして機体の右側方に回動して脱穀部（Ａ）から離間可能になっている。即ち、穀粒タンク（１）の左側面には処理室（２）全体が出入自在の大きな挿脱口（２６）が開設され、穀粒タンク（１）内に処理室（２）を内装する作業状態のときは挿脱口（２６）の周りに貼着したスポンジ（２７）によって気密性を保つようにしてある。
【００１３】
また、「図５」は処理室（２）の他の実施例を示したもので、処理胴（３）の終端がわに処理網（５）を通過しない枝梗などの塵埃を穀粒タンク（１）内に排出する排出羽根（２８）を取着するとともに処理室（２）の終端がわに吸引排塵室（２９）を一体的に連設し網（３０）を通して前記処理室（２）内から排出された枝梗などの塵埃を吸引し穀粒タンク（１）外に排出するようにしたものである。
【００１４】
「図６」は処理胴（３）の周面に植設する処理歯（１８）に代えて該胴（３）の始端部に設けたロ−タ羽根（２１）を終端部まで延長したもので、そのロ−タ羽根（２１）の外周縁部にロ−タ刃（３１）を付けて枝梗付き粒の処理作用を行わせるようにしてもよいのである。
【００１５】
【発明の効果】
本発明によれば、走行装置（７）上に搭載した脱穀部（Ａ）で脱穀処理された１番物を一時貯留する穀粒タンク（１）へ搬送する搬送経路に、穀粒に付着した枝梗を除去する枝梗処理装置を設けたコンバインにおいて、始端部に送り込みロータ羽根（２１）と、その後方に処理歯（１８）を植設した処理胴（３）と、該処理胴（３）を駆動する軸（４）と、前記処理胴（３）の下周り側に穀粒を濾過する処理網（５）を張設した枝梗付き粒を処理する処理室（２）を構成し、前記脱穀部（Ａ）によって脱穀処理された穀粒を前記穀粒タンク（１）の上部へ揚上移送する揚穀筒（１６）内のスクリュ−コンベヤ軸（２４）上端部と、前記軸（４）の始端部をベベルギヤ（２５）で連動連結し、さらに前記軸（４）の回転方向を機体左側面視で反時計方向とし、前記処理室（２）の始端側と前記揚穀筒（１６）の上部を近設連通して締結部材を介して一体的に構成し、ものであるから、揚穀筒（１６）内に設けたスクリュウコンベヤ軸（２４）から放出された一番穀粒が近設した処理胴（３）の始端部に設けた送り込みロータ羽根（２１）の作用により処理室（２）に円滑に移送受継がれて処理歯（１８）と抵抗体（２２）の協働作用により１番穀粒中に混入する枝梗付き粒が処理されて乾燥・籾摺等の後処理を円滑にするとともに、処理室（２）で処理作用を受けたものが直ちに処理網（５）を通過し穀粒タンク（１）内に放出されて脱ぷ粒などの損傷粒の発生を抑えことができる。
また、スクリュ−コンベヤ軸（２４）と処理胴（３）を駆動する軸（４）とを一対のベベルギヤ（２５）で連動連結することにより処理胴（３）を駆動する駆動装置を別途に設ける必要がなく伝動系統をより簡単な構成ができメンテナンス性が良く取扱いが容易となる。
また、該処理室（２）を前記穀粒タンク（２）の左側面に左右横方向に配設するとともに、該処理室（２）が出入り自在な挿脱口（２６）を前記穀粒タンク（１）に設けたものであるから前記処理室（２）内に内蔵している処理胴（３）のイ方向（反時計方向）回転により放出される穀粒を前後方向に拡散して穀粒タンク（１）内に均された状態で順次貯留されるので、穀粒タンク（１）に沿った均平装置などを別途に設けなくても穀粒タンク（１）内の充填量を高めることができ、さらに処理室（２）を構成する関係部品を少なく、構成が簡素化され保守点検が簡単で容易となる。
【図面の簡単な説明】
【図１】  処理室の縦断左側方視図である。
【図２】  同処理室の縦断前方視図である。
【図３】  同処理室の右側方視図である。
【図４】  コンバイン全体の左側面図である。
【図５】  処理室の他の実施例図である。
【図６】  処理胴の他例のものを示す図である。
【符号の説明】
Ａ    脱穀部
イ    反時計方向
１    穀粒タンク
２    処理室
３    処理胴
４    軸
５    処理網
７    走行装置
１６    揚穀筒
１８    処理歯
２１    送り込みロータ羽根
２４    スクリューコンベヤ軸
２５    ベベルギャ
２６    挿脱口
【図１】
0003648284.tif 000002
【図２】
0003648284.tif 000003
【図３】
0003648284.tif 000004
【図４】
0003648284.tif 000005
【図５】
0003648284.tif 000006
【図６】
0003648284.tif 000007